(57)【要約】      （修正有）【課題】輸送コストが多くかかるという問題や施工作業に人手が多くかかる等の問題を改善するとともに輸送時や施工時に芝苗の脱落が防止されている植生シートを用いた芝の施工方法を提供する。【解決手段】2枚の水溶性樹脂フィルム８１、８２で芝苗７を挟持してなる植生シート６を被施工地に敷設する工程を有する芝の施工方法であって、（1）前記2枚の水溶性樹脂フィルムは、各々ポリビニルアルコール系樹脂を含有し、（2）前記敷設の24時間前から前記敷設の24時間後までの間に前記被施工地及び／又は前記敷設後の前記植生シート上に1回又は複数回の水遣りを行う工程を有し、前記水遣りにおける合計水量が7L/m2以上である、ことを特徴とする芝の施工方法。【選択図】図２
2016082909.tif 000002
【特許請求の範囲】
【請求項１】
2枚の水溶性樹脂フィルムで芝苗を挟持してなる植生シートを被施工地に敷設する工程を有する芝の施工方法であって、
（1）前記2枚の水溶性樹脂フィルムは、各々ポリビニルアルコール系樹脂を含有し、
（2）前記敷設の24時間前から前記敷設の24時間後までの間に前記被施工地及び／又は前記敷設後の前記植生シート上に1回又は複数回の水遣りを行う工程を有し、前記水遣りにおける合計水量が7L/m2以上である、
ことを特徴とする芝の施工方法。
【請求項２】
前記敷設後の前記植生シート上に砂及び／又は黒土を被せる工程を有する、請求項1に記載の施工方法。
【請求項３】
前記敷設の24時間経過時を基準とし、当該基準から少なくとも168時間は24時間毎に1回以上の水遣りを行い、前記1回の水遣りに用いる水量が5L/m2以上である、請求項1又は2に記載の施工方法。
【請求項４】
前記2枚の樹脂フィルムは、水溶試験Aに供することにより測定される完全溶解までの時間（水溶時間）が各々90秒以上である、請求項1〜3のいずれかに記載の施工方法。
【発明の詳細な説明】
【技術分野】
【０００１】
本発明は、植生シートを用いた芝の施工方法に関する。
【０００２】
なお、植生シートは、2枚の水溶性樹脂フィルムで植物（茎、根、種子、発芽後の種子等の1種以上）を挟持してなる積層体であって、植生シートを所望の植栽地に展開して水を散布することにより水溶性樹脂フィルムが溶解し、植物を所望の植栽地に発芽、生育等させる用途に適した農業用シートである。但し、本発明では植物として芝苗を用いる。
【背景技術】
【０００３】
従来、野芝、高麗芝等のように根茎により繁殖する栄養繁殖型の芝は、公園、ゴルフ場、校庭等の緑化に使用されている。これらの芝を施工する際は、事前に圃場にて育成した芝を適当な大きさの枚葉状のシート又はロール状のシートとして切り出し、それを所定間隔に並べて敷設することにより施工したり、芝苗をポット状に育成し、それを所定間隔に並べて植え付け施工をしたりしている。しかしながら、いずれの方法も輸送コストが多くかかるという問題や施工作業に人手が多くかかる等の問題がある。
【０００４】
上記問題点に鑑み、特許文献1には、通気性なども考慮し、「切芝を分解引伸し、筋状のランナーを適当網目間隔のネット上に並べると共に、上面を水溶性の紙で被蔽した長尺の巻ロールに作成し、これをゴルフ場や庭園などの地表面で延展したり、切断したりして行うことを特徴とする芝の移植方法。」が開示されている（特許請求の範囲第1項）。また、「切芝を分解引伸し、筋状のランナーを適当網目間隔のネット上に並べると共に、上面を水溶性の紙で被蔽した長尺の巻ロール製品。」が開示されている（特許請求の範囲第2項）。しかしながら、特許文献1の方法及び製品には、輸送時や施工時に網目状ネットの目から芝苗が脱落し易い等の問題がある。
【０００５】
従って、輸送コストが多くかかるという問題や施工作業に人手が多くかかる等の問題を改善するとともに輸送時や施工時に芝苗の脱落が防止されている植生シートを用いた芝の施工方法の開発が望まれている。
【先行技術文献】
【特許文献】
【０００６】
【特許文献１】特開平2-104216号公報
【発明の概要】
【発明が解決しようとする課題】
【０００７】
本発明は、輸送コストが多くかかるという問題や施工作業に人手が多くかかる等の問題を改善するとともに輸送時や施工時に芝苗の脱落が防止されている植生シートを用いた芝の施工方法を提供することを目的とする。
【課題を解決するための手段】
【０００８】
本発明者は上記目的を達成すべく鋭意研究を重ねた結果、特定の水溶性樹脂フィルムで芝苗を挟持してなる植生シートを使用し、当該植生シートの敷設前後の所定期間内に特定条件下で水遣りを行う施工方法によれば、上記目的を達成できることを見出し、本発明を完成するに至った。
【０００９】
即ち、本発明は下記の植生シートを用いた芝の施工方法に関する。
1. 2枚の水溶性樹脂フィルムで芝苗を挟持してなる植生シートを被施工地に敷設する工程を有する芝の施工方法であって、
（1）前記2枚の水溶性樹脂フィルムは、各々ポリビニルアルコール系樹脂を含有し、
（2）前記敷設の24時間前から前記敷設の24時間後までの間に前記被施工地及び／又は前記敷設後の前記植生シート上に1回又は複数回の水遣りを行う工程を有し、前記水遣りにおける合計水量が7L/m2以上である、
ことを特徴とする芝の施工方法。
2. 前記敷設後の前記植生シート上に砂及び／又は黒土を被せる工程を有する、上記項1に記載の施工方法。
3. 前記敷設の24時間経過時を基準とし、当該基準から少なくとも168時間は24時間毎に1回以上の水遣りを行い、前記1回の水遣りに用いる水量が5L/m2以上である、上記項1又は2に記載の施工方法。
4. 前記2枚の樹脂フィルムは、水溶試験Aに供することにより測定される完全溶解までの時間（水溶時間）が各々90秒以上である、上記項1〜3のいずれかに記載の施工方法。
【発明の効果】
【００１０】
本発明の芝の施工方法によれば、従来の育成芝シート又はロール状シートを用いた芝の施工方法と比較して、輸送コストが多くかかるという問題や施工作業に人手が多くかかる等の問題が改善されているとともに輸送時や施工時に芝苗の脱落が防止されている。また、植生シートの敷設前後の所定期間内に特定条件下で水遣りを行うことにより、被施工地に効率的に芝苗を根付かせて生育させることができる。
【図面の簡単な説明】
【００１１】
【図１】（a）水溶試験Aの試験装置の模式的斜視図である。（b）はビーカーの上面図でありスライドマウントと水流との関係を模式的に示している。
【図２】芝苗を挟持した植生シートの一例を示す上視平面図である。
【図３】芝苗を挟持した植生シートの一例を示す側面視断面図である。
【発明を実施するための形態】
【００１２】
以下、本発明の植生シートを用いた芝の施工方法について詳細に説明する。
【００１３】
本発明の植生シートを用いた芝の施工方法は、2枚の水溶性樹脂フィルムで芝苗を挟持してなる植生シートを被施工地に敷設する工程を有する芝の施工方法であって、
（1）前記2枚の水溶性樹脂フィルムは、各々ポリビニルアルコール系樹脂を含有し、
（2）前記敷設の24時間前から前記敷設の24時間後までの間に前記被施工地及び／又は前記敷設後の前記植生シート上に1回又は複数回の水遣りを行う工程を有し、前記水遣りにおける合計水量が7L/m2以上である、ことを特徴とする。
【００１４】
植生シート
本発明では、2枚の水溶性樹脂フィルムで芝苗を挟持してなる植生シートを用いる。
【００１５】
2枚の水溶性樹脂フィルムは、各々ポリビニルアルコール系樹脂（PVA系樹脂）を含有し、且つ水溶性のものであれば限定されない。2枚の水溶性樹脂フィルムは、各々PVA系樹脂のみから構成されていてもよく、PVA系樹脂に加えてセルロース誘導体、デンプン等が本発明の効果に影響を与えない範囲で含まれていてもよい。
【００１６】
PVA系樹脂としては、PVA及び変性PVAのいずれでも良いが、PVAが好ましい。なお、PVA系樹脂を用いる場合には、ケン化度、不飽和単量体の共重合比率又は変性量、分子量、層厚み等を調整することにより水溶時間（水溶性の程度）を調整することができ、セルロース誘導体又はデンプンを併用する場合には、変性量、分子量、層厚み等を調整することにより水溶時間を調整することができる。
【００１７】
上記PVA系樹脂は、酢酸ビニルを単独重合し、更にそれをケン化することにより得られるものが使用できる。また、上記変性PVAとしては、酢酸ビニルと他の不飽和単量体との重合体をケン化したものや、PVAを後変性したものを用いることができる。PVAを後変性する場合の変性量は、特に限定しないが10モル％以下が好ましく、7モル％以下がより好ましく、5モル％以下が最も好ましい。
【００１８】
上記不飽和単量体としては、例えば、エチレン、プロピレン、イソブチレン、α−オクテン、α−ドデセン、α−オクタデセン等のオレフィン類；アクリル酸、メタクリル酸、クロトン酸、マレイン酸、無水マレイン酸、イタコン酸等の不飽和酸類、又はその塩、又はそのモノ若しくはジアルキルエステル；アクリロニトリル、メタアクリロニトリル等のニトリル類；アクリルアミド、メタクリルアミド等のアミド類；エチレンスルホン酸、アリルスルホン酸、メタアリルスルホン酸等のオレフィンスルホン酸、又はその塩；アルキルビニルエーテル類；N−アクリルアミドメチルトリメチルアンモニウムクロライド；アリルトリメチルアンモニウムクロライド；ジメチルアリルビニルケトン；Ｎ−ビニルピロリドン；塩化ビニル；塩化ビニリデン；ポリオキシエチレン（メタ）アリルエーテル、ポリオキシプロピレン（メタ）アリルエーテル等のポリオキシアルキレン（メタ）アリルエーテル；ポリオキシエチレン（メタ）アクリレート、ポリオキシプロピレン（メタ）アクリレート等のポリオキシアルキレン（メタ）アクリレート；ポリオキシエチレン（メタ）アクリルアミド、ポリオキシプロピレン（メタ）アクリルアミド等のポリオキシアルキレン（メタ）アクリルアミド；ポリオキシエチレン（1−（メタ）アクリルアミド−1，1−ジメチルプロピル）エステル；ポリオキシエチレンビニルエーテル；ポリオキシプロピレンビニルエーテル；ポリオキシエチレンアリルアミン；ポリオキシプロピレンアリルアミン；ポリオキシエチレンビニルアミン；ポリオキシプロピレンビニルアミンなどが挙げられる。PVA系樹脂中のこれらの不飽和単量体の共重合比率は限定されず、水溶性樹脂フィルム及び植生シートの特性に応じて適宜設定することができる。
【００１９】
PVAを後変性する方法としては、例えば、PVAをアセト酢酸エステル化、アセタール化、ウレタン化、エーテル化、リン酸エステル化、又はオキシアルキレン化する方法等が挙げられる。
【００２０】
PVA系樹脂としては、側鎖に1，2−ジオール結合を有するPVA系樹脂を用いることが好ましい。上記側鎖に1，2−ジオール結合を有するPVA系樹脂は、例えば、（ア）酢酸ビニルと3，4−ジアセトキシ−1−ブテンとの共重合体をケン化する方法、（イ）酢酸ビニルとビニルエチレンカーボネートとの共重合体をケン化及び脱炭酸する方法、（ウ）酢酸ビニルと2，2−ジアルキル−4−ビニル−1，3−ジオキソランとの共重合体をケン化及び脱ケタール化する方法、（エ）酢酸ビニルとグリセリンモノアリルエーテルとの共重合体をケン化する方法等により得ることができる。
【００２１】
2枚の水溶性樹脂フィルムは、その水溶性の程度として、水溶試験Aに供することにより測定される完全溶解までの時間（水溶時間）が各々90秒以上であることが好ましい。その中でも水溶時間は110秒以上が好ましく、300〜600秒がより好ましい。
【００２２】
2枚の水溶性樹脂フィルムの各々の水溶時間が90秒未満の場合には、芝苗を挟持する際、植生シートの輸送時又は施工現場において、湿気、作業者の汗等に起因して溶解してしまうおそれがある。一方、600秒を超える場合には、植生シートの敷設後に所定の水遣りによって植生フィルムが十分に溶解せずに芝苗の生育が不十分になるおそれがある。
【００２３】
なお、本明細書における水溶試験Aは、次の通りに定義される試験方法である。
（イ）図1に示す通り、1000mlビーカーに25℃の超純水800ml及び40mm×φ8mm回転子を入れて回転子を回転させ、超純水の渦巻きの下端が600mlラインに位置するように回転数を設定する（概ね450rpmで当該条件となる）。
（ロ）縦24mm×横36mmの枠を有するスライドマウントに厚さ60μmの試料フィルム（層1、層2等）を取り付け、試料フィルムの面が水流と平行になるようにビーカー中に浸漬し、試料フィルムが完全に溶解するまでの時間（当該時間を「水溶時間」と言う）を目視観察により確認して測定する。なお、図1において、（a）は水溶試験Aの試験装置の模式的斜視図であり、（b）はビーカーの上面図でありスライドマウントと水流との関係を模式的に示している。
【００２４】
PVA系樹脂を用いる場合のケン化度については、90モル％以上100モル％以下が好ましく、92〜97モル％がより好ましい。PVA系樹脂のケン化度を上記範囲に調整することにより、前述した水溶時間の特性が得られるとともに水溶性樹脂フィルムに耐ブロッキング性を付与することができる。また、PVA系樹脂中の不飽和単量体の共重合比率又は変性量を調整することによっても水溶時間を調整することができる。なお、本明細書におけるケン化度の値は、JIS K6726に準拠して測定した値を意味し、ケン化度の異なる複数のPVA系樹脂を混合した場合には、混合後のケン化度を測定した値である。
【００２５】
PVA系樹脂を用いる場合の粘度については、4重量％水溶液粘度値が4.5cP以上であることが好ましく、5.0cP以上であることがより好ましい。PVA系樹脂の当該粘度値が低い場合には水溶性樹脂フィルムの強度が不十分になったりブロッキングし易くなったりするおそれがある。当該粘度値の上限は限定的ではないが、35cP程度である。本明細書における4重量％水溶液粘度値は、PVA系樹脂の4重量％水溶液を調製し、JIS K6726:1994 3.11.1（回転粘度計法）に準拠して測定した値である。
【００２６】
PVA系樹脂には、必要に応じて可塑剤を配合してもよい。配合する場合にはPVA系樹脂100重量部に対して1〜8重量部が好ましい。可塑剤配合量が1重量部未満又は8重量部より多い場合には、製造方法によってはフィルム化が難しくなるおそれがある。
【００２７】
水溶性樹脂フィルムには、必要に応じて酸化防止剤、金属不活性剤等の1種又は2種以上を配合してもよい。上記添加剤は公知のものを用いることができ、配合量は本発明の効果を損なわない範囲で適宜調整できる。
【００２８】
水溶性樹脂フィルムを製膜する際は、PVA系樹脂（及び任意の添加剤）を含有する樹脂組成物を押出しすることにより製膜する方法、カレンダー法により製膜する方法等を適宜採用することができる。
【００２９】
2枚の水溶性樹脂フィルムの厚さは限定的ではないが、各々0.015〜0.150mmが好ましく、0.020〜0.080mmがより好ましい。
【００３０】
水溶性樹脂フィルムは、必要に応じて、公知の技術を用いて片面又は両面にエンボス模様を賦型してもよい。エンボス模様を賦型することにより、i)水溶性樹脂フィルムをロールで巻き取って保管する際に耐ブロッキング性をより向上させる効果、ii)植生シートを作製する際に、芝苗を挟持する加工機に供した際の加工性を向上させる効果、iii)芝苗を挟持した後に植生シート中の余剰空気を脱気する際の脱気性を向上させる効果等が奏される。
【００３１】
なお、水溶性樹脂フィルムは、単層に限定されず多層構成にしてもよい。
【００３２】
水溶性樹脂フィルムを多層構成にする場合には、例えば、層1と層2とを積層して2層構成にすることが挙げられる。この場合、各層を形成するための樹脂組成物を同時押出しすることにより積層する方法、押出しラミネートにより積層する方法又は層1及び層2を水溶性の接着剤（PVA系接着剤など）を用いて接着する方法等が利用できる。
【００３３】
層1及び層2の間には、必要に応じて更に他の層（補助層）を介在させることができる。補助層としては、例えば、層1と層2の層間強度を向上させる接着剤層などが挙げられる。また、層1、層2がそれぞれ水溶性樹脂フィルムの最表面に位置している限り、層1と層2の間に更に層1及び／又は層2が介在していてもよい。例えば、層1／層2／層1／層2（なお、「／」は層間を示し、更に各層間には接着剤層を有していてもよい）などの3層以上の層構成としてもよい。補助層の厚さは、その特性に応じて適宜調整する。
【００３４】
本発明では、層1、層2がそれぞれ水溶性樹脂フィルムの最表面に位置している場合に、例えば、層1の水溶時間を前記の如く90秒以上に設定し、層2の水溶時間を90秒未満に設定することが挙げられる。この場合、植生シートを作製した際に各層1が植生シートの最表面となるように構成することにより（換言すると、水溶時間の短い各層2が芝苗を挟持する側に位置する）、水溶時間が90秒以上である層1は植生シートの耐ブロッキング性の発現に有効であり、水溶時間が90秒未満である層2は植生シートを作製した際に芝苗を十分に固定する効果を得るために有効となる。
【００３５】
植生シートは、上記2枚の水溶性樹脂フィルムで芝苗を挟持することにより作製する。つまり、水溶性樹脂フィルムを2枚用意し、2枚の水溶性樹脂フィルムが芝苗を挟持するように積層体を形成することにより植生シートが得られる。なお、対向する2枚の水溶性多層フィルムどうしは、芝苗を挟持していない領域の一部又は全部（好ましくは実質的に全部）において接合されている。
【００３６】
芝苗の状態は限定的ではないが、芝圃場で育成したものを切り出し、葉、茎及び根の絡み合いをほぐして分解されている状態であることが好ましい。
【００３７】
芝苗は、2枚の水溶性樹脂フィルムの間に分散して挟持されていることが好ましい。芝苗を2枚の水溶性樹脂フィルムの間に分散して挟持することにより、芝苗の体積をより嵩張らない状態とすることができ、輸送効率を更に向上させることができる。また、芝苗が水溶性樹脂フィルムの面に均等に配置されることにより、植生シートを敷設する際に効率よく敷設することができる。特に芝苗の場合は、敷設後に横根が出て自然に密度が濃くなっていくため、芝苗を広い範囲に分散して挟持することにより、被施工地を効率よく芝生化することができる。
【００３８】
芝苗は土が除去されていることが好ましい。これにより、芝苗を軽量で体積も嵩張らない状態で輸送することができ、且つ輸送設備の土による汚染が抑制される。土を除去する方法としては特に限定されず、従来公知の方法を用いることができる。例えば、土を抱えた芝苗の根を叩いて土を落とす方法、簡単に水洗いして土を落とす方法が挙げられる。土の除去は、上述のように輸送や保管に不要な土を落とす程度に行えばよく、芝苗の状態を良好に保つ点では、多少の土が根に付着した状態であることが好ましい。
【００３９】
植生シートの水溶性樹脂フィルムは水分により溶解する。よって、植生シートを被施工地に敷設すれば、土中の水分により植生シートが溶解して芝苗を土壌に定着させることができる。芝苗は土が除去されていても、溶解した植生シートにより土壌に定着し、芝苗の根が経時的に土中に張出すので、芝苗を容易に生育することが可能となる。
【００４０】
また、上述のような水分により溶解する植生シートは、含水性も有しているので空気中の水分を含浸し、植生シート中の芝苗の乾燥を抑制し、芝苗の状態を良好に保つことができる。
【００４１】
芝苗を2枚の水溶性樹脂フィルムで挟持する方法としては特に限定されず、芝苗が2枚の水溶性樹脂フィルムで挟まれた状態を保持できる方法であればよい。例えば、2枚の水溶性樹脂フィルムのそれぞれの片面であって芝苗を挟持する面（挟持面）に適量の水を噴霧した後に芝苗を挟み込み、芝苗を挟持した状態を維持できる程度に水溶性樹脂フィルムどうしを接合しながら、ロールで巻き取る方法が挙げられる。水を噴霧する際は、水溶性樹脂フィルムが完全に溶解しない適量の水を噴霧する。
【００４２】
図2は、上記方法により芝苗を挟持した植生シートの上視平面図であり、図3は側面視断面図である。図2及び図3において、芝苗を挟持した植生シート6は、芝苗7が、2枚の水溶性樹脂フィルム81，82間に挟み込まれて挟持されており、2枚の水溶性樹脂フィルム81，82は、芝苗を挟持していない領域の一部又は全部（好ましくは実質的に全部）において接合されている。接合面積を調整するためには、例えば、挟持面に噴霧する水量を調整することや、芝苗を挟持した後に植生シートを押圧する際の圧力を調整することや、ヒートシールの条件を調整することによって行える。かかる方法で芝苗を挟持することにより、芝苗の植生シートからのはみ出しや落下を抑制することができる。
【００４３】
2枚の水溶性樹脂フィルムどうしを接合する方法としては特に限定されず、上述の適量の水を噴霧する方法の他に、加熱によるヒートシール等の方法が挙げられる。また、接合する所望の箇所に少量の水を塗布、又は滴下する方法により接合してもよい。更に、上述の接合方法において、水の代わりにPVA水溶液を用いてもよい。
【００４４】
芝の施工方法
本発明の芝の施工方法は、前記植生シートを被施工地に敷設する工程を有し、前記敷設の24時間前から前記敷設の24時間後までの間（好ましくは前記敷設の2時間前から前記敷設の2時間後までの間）に前記被施工地及び／又は前記敷設後の前記植生シート上に1回又は複数回の水遣りを行う工程を有し、前記水遣りにおける単位面積当たりの合計水量が7L/m2以上であることを特徴とする。
【００４５】
上記敷設前後の48時間の間の水遣りの回数は限定されず1回以上であればよい。但し、敷設前後の48時間の間の水遣りにおける合計水量は7L/m2以上が必要であり、10L/m2以上が好ましく、12〜20L/m2程度がより好ましい。かかる水遣り条件とすることにより、植生シートに教示した芝苗の乾燥を防止できるとともに、敷設後の植生シートの溶解を十分に進行させて芝苗を被施工地に定着させることができる。
【００４６】
また、前記敷設の24時間経過時を基準とし、当該基準から少なくとも168時間は24時間毎に1回以上の水遣りを行い、前記1回の水遣りに用いる水量は5L/m2以上が好ましく、6L/m2以上が好ましく、7〜10L/m2程度がより好ましい。かかる水遣り条件とすることにより、被施工地への芝苗の根付きを促進することができる。
【００４７】
更に、前記敷設後の植生シート上には、必要に応じて、砂及び／又は黒土を被せる工程（覆土工程）を有することが好ましい。覆土量は限定的ではないが、3kg/m2以上が好ましく、5〜15kg/m2程度がより好ましい。覆土工程のタイミングは、前記敷設後24時間以内であってもよく、前記敷設後24時間経過後であってもよいが、本発明では前記敷設後24時間以内に敷設工程と連続して行われることが好ましく、覆土工程と連続して水遣りの工程を有することがより好ましい。
【実施例】
【００４８】
以下、実施例及び比較例を示して本発明を具体的に説明する。但し、本発明は実施例に限定されない。
【００４９】
実施例1〜7及び比較例1〜3
（ポリビニルアルコールフィルムA〜Cの作製）
表1に示す配合及び構成で3台の押出機を用いて押出しを行い、Tダイ法にて製膜し、0.6mm厚のポリビニルアルコールフィルムA〜Cを作製した。
【００５０】
また、各フィルムの水溶時間を測定した。
【００５１】
【表１】
2016082909.tif 000003
【００５２】
〔表中、「Selvol」はセキスイ・スペシャルティ・ケミカルズ・アメリカ製のPVA系樹脂の商標名を示す〕
（植生シートI〜IVの作製とその評価）
下記表2の（1）、（2）欄に記載のフィルムを20cm×25cmに切り取った後、下面PVAの芝苗を挟持する面に水を500ccハンディースプレーにて1吹き噴霧し、芝苗6ｇを挟持し、表2に示す構成にて植生シートI〜IVを作製した。
【００５３】
次に、作製後の植生シートI〜IVの穴の発生状態を目視にて確認を実施した。
【００５４】
◎：穴の発生なし、  ○：僅かに穴の発生はあるが芝苗の脱落等はなし
【００５５】
【表２】
2016082909.tif 000004
【００５６】
（芝苗の生育試験）
植生シートI〜IVをそれぞれ被施工地（黒土上）に表3に記載の条件にて敷設し、2週間後の芝苗の生育状態を観察した。
【００５７】
上土は植生シートを敷設直後に被せた。水遣りの「初期」は、植生シート敷設の24時間前〜24時間後までの水遣りのタイミング及び水遣りの水量を示す。「日々」は、植生シート敷設24時間経過後を基準とし、当該基準から168時間における24時間毎の水遣りの回数及び1回の水遣りの水量を示す。
【００５８】
観察時の評価の判定基準は以下の基準とした。
【００５９】
黒土又は目砂上に出ている緑色の芝葉数
×：０〜１０枚（茶色の藁状で生育していない）  ／  ○：１０枚以上（生育している）
【００６０】
【表３】
2016082909.tif 000005
【符号の説明】
【００６１】
1. 水溶試験Aに供する試料フィルム
2. スライドマウント
3. 1000mlビーカー
4. 40mm×φ8mmの回転子
5. マグネティックスターラー
6. 植生シート
7. 内容物（芝苗）
81. 水溶性樹脂フィルム
82. 水溶性樹脂フィルム
【図１】
2016082909.tif 000006
【図２】
2016082909.tif 000007
【図３】
2016082909.tif 000008